【手続補正書】
【提出日】平成18年12月4日(2006.12.4)
【手続補正１】
【補正対象書類名】特許請求の範囲
【補正対象項目名】請求項６
【補正方法】変更
【補正の内容】
【請求項６】
前記改質部の温度を検知する改質部温度検知器と；
前記一酸化炭素低減部の温度を検知する一酸化炭素低減部温度検知器と；
前記改質部温度検知器で検知された温度と比較される第１、第２及び第３の温度並びに前記一酸化炭素低減部温度検知器で検知された温度と比較される第４の温度を記憶する記憶部と、
起動時に、前記原料燃料を前記燃焼部に供給して前記改質部温度検知器で検知された温度が第３の温度以上となると、前記原料燃料の燃焼部への供給を停止し、前記原料燃料を前記改質部に供給して改質ガスを生成し、前記改質ガスを前記一酸化炭素低減部に導入して前記一酸化炭素低減部を加熱し、また、前記一酸化炭素低減部温度検知器で検知された温度が第４の温度以上となると、前記一酸化炭素低減部で生成される一酸化炭素低減ガスを前記燃料電池に導入し発電を開始する制御を行い、
通常運転時に、前記改質部温度検知器で検知された温度が前記第１の温度以下のときに前記燃料電池において発電電流を低減するが、前記発電電流を低減した後所定の時間は発電電流を保持し、また、前記改質部温度検知器で検知された温度が前記第２の温度以上のときに、前記燃料電池において発電電流を増大するが、前記発電電流を増大した後所定の時間は発電電流を保持し、且つ、連続して発電電流を低減あるいは増大した回数が所定の回数に達すると前記原料燃料供給部から供給する原料燃料の供給量を増加あるいは減少する制御を行う制御部とを有する制御装置とを備える；
請求項５に記載の燃料電池システム。
【手続補正２】
【補正対象書類名】明細書
【補正対象項目名】０００９
【補正方法】変更
【補正の内容】
【０００９】
前記の目的を達成するために、請求項３に記載の発明に係る燃料電池システムの運転方法は、例えば、図１及び図３に示すように、原料燃料ｍを供給する原料燃料供給部１と、原料燃料ｍを改質して改質ガスｒを生成する改質部５と、改質ガスｒ中の一酸化炭素を低減して一酸化炭素低減ガスｇを生成する一酸化炭素低減部６、７と、一酸化炭素低減ガスｇを燃料ガスとする燃料電池３０と、燃料電池３０のオフガスｐを燃焼して改質部５を加熱する燃焼部４とを備える燃料電池システム１００の運転方法であって、改質部５の温度を検知し、検知された温度Ｔａを所定の第１の温度Ａ１及び所定の第２の温度Ａ２と比較する改質部温度比較工程（ステップＳＴ１１、ＳＴ１２）と、改質部温度比較工程（ステップＳＴ１１）における検知された温度Ｔａが前記第１の温度Ａ１以下のときに燃料電池３０において発電電流を低減する工程（ステップＳＴ２２）であって、発電電流を低減した後所定の時間ｔ１は発電電流を保持（ステップＳＴ２３）する電流低減工程と、改質部温度比較工程（ステップＳＴ１２）における検知された温度Ｔａが第２の温度Ａ２以上のときに、燃料電池３０において発電電流を増大する工程（ステップＳＴ３２）であって、発電電流を増大した後所定の時間ｔ２は発電電流を保持（ステップＳＴ３３）する電流増大工程とを備える。
【手続補正３】
【補正対象書類名】明細書
【補正対象項目名】００１５
【補正方法】変更
【補正の内容】
【００１５】
更に、請求項６に記載の発明に係る燃料電池システムは、例えば図１に示すように、請求項５に記載の燃料電池システム１００において、改質部５の温度を検知する改質部温度検知器９と、一酸化炭素低減部６、７の温度を検知する一酸化炭素低減部温度検知器１０、１１と、改質部温度検知器９で検知された温度と比較される第１、第２及び第３の温度並びに一酸化炭素低減部温度検知器１０、１１で検知された温度と比較される第４の温度を記憶する記憶部と、起動時に、原料燃料ｍを燃焼部４に供給して改質部温度検知器９で検知された温度が第３の温度以上となると、原料燃料ｍの燃焼部４への供給を停止し、原料燃料ｍを改質部５に供給して改質ガスｒを生成し、改質ガスｒを一酸化炭素低減部６、７に導入して一酸化炭素低減部６、７を加熱し、また、一酸化炭素低減部温度検知器１０、１１で検知された温度が第４の温度以上となると、一酸化炭素低減部６、７で生成される一酸化炭素低減ガスｇを燃料電池３０に導入し発電を開始する制御を行い、通常運転時に、改質部温度検知器９で検知された温度が第１の温度以下のときに燃料電池３０において発電電流を低減するが、発電電流を低減した後所定の時間は発電電流を保持し、また、改質部温度検知器９で検知された温度が第２の温度以上のときに、燃料電池３０において発電電流を増大するが、発電電流を増大した後所定の時間は発電電流を保持し、且つ、連続して発電電流を低減あるいは増大した回数が所定の回数に達すると原料燃料供給部１から供給する原料燃料ｍの供給量を増加あるいは減少する制御を行う制御部とを有する制御装置４０とを備える。
【手続補正４】
【補正対象書類名】明細書
【補正対象項目名】００３６
【補正方法】変更
【補正の内容】
【００３６】
変成部温度検知器１０および選択酸化部温度検知器１１で昇温中の変成部６および選択酸化部７の温度を検知する。検知した変成部６の温度Ｔｂと選択酸化部７の温度Ｔｃとは、信号ｉ４、ｉ５として、制御装置４０に伝達される。制御装置４０の制御部（不図示）では、変成部温度Ｔｂと記憶部で記憶している第４の温度としての所定の温度Ｂと比較し、選択酸化部温度Ｔｃと記憶部で記憶している第４の温度としての所定の温度Ｃと比較する（ステップＳＴ７）。ここで、温度Ｂは、変成部６で変成反応が行われる温度であり、温度Ｃは、選択酸化部７で一酸化炭素選択酸化反応が行われる温度であり、例えば、銅Ｃｕ−亜鉛Ｚｎ系変成触媒とプラチナＰｔ系選択酸化触媒を用いる場合には、変成反応に適した温度は２００〜２８０℃程度であり、第４の温度Ｂは２４０℃、一酸化炭素選択酸化反応に適した温度は１００〜１６０℃であり、第４の温度Ｃは１１０℃とする。なお、同時に、改質部温度Ｔａが第３の温度Ａ以上であることを確認する。これは、三方弁８を切り替えることにより、選択酸化部７から三方弁８、配管２１、配管２２を経て燃焼部４に供給されていた燃焼用ガスｇ’の供給が途絶え、燃焼部４が一旦失火するので、その間に改質部５の温度が改質反応に必要な最低温度以下に低下することがないよう、切替時の改質部５の温度を高くしておくためである。燃焼部４が失火して、燃料電池３０からのオフガスｐが供給され再度着火するまでの時間は、三方弁３を切り替えた場合とは異なるので、改質部温度Ｔａと比較すべき温度は第３の温度Ａと異なる温度としてもよい。本実施の形態である燃料電池システム１００では、三方弁３を切り替えたときより、三方弁８を切り替えたときの方が、再着火するまでの時間が短いので、改質部温度Ｔａと比較する温度は、第３の温度Ａより低くてもよい。
【手続補正５】
【補正対象書類名】明細書
【補正対象項目名】００４３
【補正方法】変更
【補正の内容】
【００４３】
具体的な制御を図３に従って説明する。改質部温度検知器９で検知した温度は、信号ｉ３として、制御装置４０の制御部に伝達される。制御部では、先ず、記憶部に記憶された所定の第１の温度Ａ１と検知された改質部温度Ｔａとを比較する（ステップＳＴ１１）。改質部温度Ｔａが第１の温度Ａ１以下のときには、燃料電池３０での発電電流を低減する工程を実施し、第１の温度Ａ１を超えているときには所定の第２の温度Ａ２との比較を行う。
【手続補正６】
【補正対象書類名】図面
【補正対象項目名】図３
【補正方法】変更
【補正の内容】
【図３】
2005174745.tif 000001